(57)【特許請求の範囲】
【請求項１】
底面に排水口を有し、便器を洗浄する洗浄水を貯水する洗浄水タンクと、
前記洗浄水タンクに洗浄水を給水する給水部と、
前記排水口を開閉する排水弁と、
前記排水弁の開閉を駆動する排水弁駆動部と、
前記洗浄水タンク内に設けられ、前記洗浄水タンク内の洗浄水の止水水位を検出する水位検出部と、
洗浄開始信号の入力に基づいて前記排水弁駆動部を作動させ、前記洗浄水タンクに貯水された洗浄水を前記排水口から前記便器へ供給するとともに、前記給水部を作動させ、前記洗浄水タンクへの洗浄水の給水を行い、前記水位検出部による前記止水水位の検出に応じて前記給水部の作動を停止させる制御部と、
を備え、
前記制御部は、電源投入時、便蓋の開検知時、便座への使用者の着座検知時、及びトイレルームへの使用者の入室検知時のいずれかの時に、前記水位検出部が前記止水水位を検出していない場合には、前記給水部を作動させ、前記止水水位まで前記洗浄水タンクに洗浄水を給水する補充モードを有することを特徴とするトイレ装置。
【請求項２】
使用者の部屋の利用状況に応じて電源がＯＮ／ＯＦＦされるホテルに設置されるトイレ装置であって、
前記制御部は、電源投入時に前記補充モードを実行することを特徴とする請求項１記載のトイレ装置。
【請求項３】
前記洗浄水タンクに貯水された洗浄水の水位が、前記止水水位よりも低い下限水位未満となった場合に、機械的に弁を開き、前記下限水位まで前記洗浄水タンクに洗浄水を給水する機械式給水機構をさらに備えたことを特徴とする請求項１又は２に記載のトイレ装置。
【請求項４】
前記補充モードの実行による洗浄水の給水を報知する給水報知部をさらに備えたことを特徴とする請求項１〜３のいずれか１つに記載のトイレ装置。
【請求項５】
前記補充モードの実行後、洗浄水の補充を報知する補充報知部をさらに備えたことを特徴とする請求項１〜４のいずれか１つに記載のトイレ装置。
【請求項６】
前記制御部は、洗浄開始信号の入力に基づいて前記排水弁駆動部を作動させ、前記洗浄水タンクに貯水された洗浄水を前記排水口から前記便器へ供給するとともに、前記給水部を作動させ、前記洗浄水タンクへの洗浄水の給水を行い、前記水位検出部による前記止水水位の検出に応じて前記給水部の作動を停止させる制御を、少なくとも１回以上、実行した後に、
前記補充モードを実行可能となることを特徴とする請求項１〜５のいずれか１つに記載のトイレ装置。
【発明の詳細な説明】
【技術分野】
【０００１】
本発明の態様は、一般的に、トイレ装置に関する。
【背景技術】
【０００２】
便器を洗浄する洗浄水タンクを備えたトイレ装置が知られている。このトイレ装置は、洗浄水タンク内にフロートスイッチを有し、フロートスイッチのＯＮ／ＯＦＦの情報を基に、洗浄水タンクへの洗浄水の給水を制御している。例えば、便器洗浄後には、フロートスイッチがＯＦＦになり、洗浄水タンクに洗浄水が給水される。
【０００３】
このトイレ装置では、洗浄水タンクから洗浄水が漏水したり、洗浄水タンクの洗浄水が蒸発したりしても、フロートスイッチのＯＦＦ情報を基に、洗浄水が給水される。しかしながら、洗浄水タンクから洗浄水が漏水していた場合においても、定期的に洗浄水タンクに洗浄水が給水されてしまうため、使用者が漏水に気付き難く、洗浄水が無駄に消費されてしまう可能性があった。
【０００４】
例えば、特許文献１には、便器洗浄操作を行った時に、フロートスイッチの情報を検知し、ＯＦＦであった場合に、洗浄水タンクに洗浄水を給水した後、便器洗浄を実施する技術が開示されている。この技術では、漏水する洗浄水を、洗浄水タンク内に貯水された洗浄水のみに止めることができ、洗浄水の無駄な消費を抑制することができる。
【０００５】
しかしながら、特許文献１の技術では、フロートスイッチがＯＦＦになっている場合に、使用者の便器洗浄操作から実際に便器洗浄が行われるまでに、洗浄水タンクへの給水によって時間差が生じ、使用者を待たせてしまう可能性がある。
【先行技術文献】
【特許文献】
【０００６】
【特許文献１】特開２０１１−１９６０１８号公報
【発明の概要】
【発明が解決しようとする課題】
【０００７】
本発明は、かかる課題の認識に基づいてなされたものであり、使用者に便器洗浄を待たせることなく、洗浄水の無駄な消費を抑制したトイレ装置を提供することを目的とする。
【課題を解決するための手段】
【０００８】
第１の発明は、底面に排水口を有し、便器を洗浄する洗浄水を貯水する洗浄水タンクと、前記洗浄水タンクに洗浄水を給水する給水部と、前記排水口を開閉する排水弁と、前記排水弁の開閉を駆動する排水弁駆動部と、前記洗浄水タンク内に設けられ、前記洗浄水タンク内の洗浄水の止水水位を検出する水位検出部と、洗浄開始信号の入力に基づいて前記排水弁駆動部を作動させ、前記洗浄水タンクに貯水された洗浄水を前記排水口から前記便器へ供給するとともに、前記給水部を作動させ、前記洗浄水タンクへの洗浄水の給水を行い、前記水位検出部による前記止水水位の検出に応じて前記給水部の作動を停止させる制御部と、を備え、前記制御部は、電源投入時、便蓋の開検知時、便座への使用者の着座検知時、及びトイレルームへの使用者の入室検知時のいずれかの時に、前記水位検出部が前記止水水位を検出していない場合には、前記給水部を作動させ、前記止水水位まで前記洗浄水タンクに洗浄水を給水する補充モードを有することを特徴とするトイレ装置である。
【０００９】
このトイレ装置によれば、電源投入時、便蓋の開検知時、着座検知時、及び入室検知時のいずれかの時に洗浄水の補充が行われるため、フロートスイッチのＯＦＦ情報を基に補充を行う場合と比べて、洗浄水の無駄な消費を抑制することができる。また、待機中に洗浄水タンク内の洗浄水が漏水などで少なくなっていたとしても、電源投入時、開検知時、着座検知時、及び入室検知時のいずれかを契機とすることにより、使用者の使用前に洗浄水の補充を行うことができ、便器洗浄操作から便器洗浄の開始までに使用者を待たせることもない。従って、使用者に便器洗浄を待たせることなく、洗浄水の無駄な消費を抑制することができる。
【００１０】
第２の発明は、第１の発明において、使用者の部屋の利用状況に応じて電源がＯＮ／ＯＦＦされるホテルに設置されるトイレ装置であって、前記制御部は、電源投入時に前記補充モードを実行することを特徴とするトイレ装置である。
【００１１】
このトイレ装置によれば、待機中に制御部の電源がＯＦＦになるホテルに設置されたトイレ装置であっても、電源投入後の便器洗浄時に確実に洗浄水を流すことができる。使用者に便器洗浄を待たせることを、より抑制することができる。
【００１２】
第３の発明は、第１又は第２の発明において、前記洗浄水タンクに貯水された洗浄水の水位が、前記止水水位よりも低い下限水位未満となった場合に、機械的に弁を開き、前記下限水位まで前記洗浄水タンクに洗浄水を給水する機械式給水機構をさらに備えたことを特徴とするトイレ装置である。
【００１３】
このトイレ装置によれば、電源がＯＦＦの状態において漏水や蒸発などで洗浄水タンク内の洗浄水が減った場合にも、洗浄水を補充することができる。これにより、補充モードにおいて補充する洗浄水の量を少なくすることができ、補充モードの時間を短縮することができる。従って、使用者に便器洗浄を待たせることを、より抑制することができる。
【００１４】
第４の発明は、第１〜第３のいずれか１つの発明において、前記補充モードの実行による洗浄水の給水を報知する給水報知部をさらに備えたことを特徴とするトイレ装置である。
【００１５】
このトイレ装置によれば、給水が行われていることを使用者などに報知することができる。これにより、給水にともなう音などで、使用者に違和感を与えてしまうことを抑制することができる。
【００１６】
第５の発明は、第１〜第４のいずれか１つの発明において、前記補充モードの実行後、洗浄水の補充を報知する補充報知部をさらに備えたことを特徴とするトイレ装置である。
【００１７】
このトイレ装置によれば、洗浄水の補充が行われたことを使用者などに報知することができ、洗浄水タンクにおける漏水の発生などを使用者に気付かせることができる。従って、漏水などによる洗浄水の無駄な消費をより抑制することができる。
【００１８】
第６の発明は、第１〜５のいずれか１つの発明において、前記制御部は、洗浄開始信号の入力に基づいて前記排水弁駆動部を作動させ、前記洗浄水タンクに貯水された洗浄水を前記排水口から前記便器へ供給するとともに、前記給水部を作動させ、前記洗浄水タンクへの洗浄水の給水を行い、前記水位検出部による前記止水水位の検出に応じて前記給水部の作動を停止させる制御を、少なくとも１回以上、実行した後に、前記補充モードを実行可能となることを特徴とするトイレ装置である。
【００１９】
このトイレ装置によれば、トイレ装置を設置する現場で、施工者が、トイレ装置と洗浄水の供給源とが接続されていない状態で、トイレ装置を外部電源に接続し、トイレ装置の電源を投入した後に、制御部が補充モードを実行してしまい、洗浄水がトイレ装置に供給されない事で、トイレ装置が故障したりする事を防止する事ができる。
なお、制御部が、排水弁駆動部を作動させるタイミングと、制御部が、給水部を作動させ、洗浄水タンクへの洗浄水の供給を行うタイミングとは、どちらを先に実行してもよく、同時タイミングも含む。
【発明の効果】
【００２０】
本発明の態様によれば、使用者に便器洗浄を待たせることなく、洗浄水の無駄な消費を抑制したトイレ装置が提供される。
【図面の簡単な説明】
【００２１】
【図１】本発明の第１の実施形態にかかるトイレ装置を表す断面図である。
【図２】本発明の第１の実施形態にかかるトイレ装置の洗浄水タンクを表す部分断面図である。
【図３】本発明の第１の実施形態にかかるトイレ装置の電気的構成を表すブロック図である。
【図４】本発明の第１の実施形態にかかるトイレ装置の動作を表すフローチャートである。
【図５】本発明の第２の実施形態にかかるトイレ装置の電気的構成を表すブロック図である。
【図６】本発明の第３の実施形態にかかるトイレ装置の電気的構成を表すブロック図である。
【図７】本発明の第４の実施形態にかかるトイレ装置の電気的構成を表すブロック図である。
【図８】本発明の第５の実施形態にかかるトイレ装置の電気的構成を表すブロック図である。
【図９】本発明の第６の実施形態にかかるトイレ装置の電気的構成を表すブロック図である。
【発明を実施するための形態】
【００２２】
以下、本発明の実施の形態について図面を参照しつつ説明する。なお、各図面中、同様の構成要素には同一の符号を付して詳細な説明は適宜省略する。  
（第１の実施形態）  
図１は、本発明の第１の実施形態にかかるトイレ装置を表す断面図である。  
図１に表したように、トイレ装置１０は、洋式腰掛便器（以下説明の便宜上、単に「便器」と称する）２０と、その上に設けられた機能部３０と、を備える。機能部３０は、本体部３２と、便座３４と、便蓋３６と、を有する。本体部３２は、各種の機器などを覆うケーシング３８を有する。便座３４と便蓋３６とは、ケーシング３８に対して開閉自在にそれぞれ軸支されている。
【００２３】
本体部３２は、例えば、便座３４の暖房機能や、便座３４に座った使用者の「おしり」などを洗浄する身体洗浄機能などを有する。機能部３０は、例えば、暖房便座装置や衛生洗浄装置などである。なお、機能部３０において、便蓋３６は、必要に応じて設けられ、省略可能である。
【００２４】
トイレ装置１０は、例えば、使用者の部屋の利用状況に応じて機能部３０の本体部３２に入力される電源がＯＮ／ＯＦＦされるホテルに設置される。ホテルでは、例えば、カードキーをカードホルダに挿し込むことによって部屋の各部に電源が供給され、カードキーをカードホルダから抜くことにより、部屋の各部への電源の供給が停止される。このため、ホテルに設置されるトイレ装置１０では、例えば、使用者の入室時に本体部３２の電源がＯＮになり、使用者の退室時に本体部３２の電源がＯＦＦになる。
【００２５】
便器２０は、ボウル部２１と、導水路２２と、排水トラップ管路２３と、を有する。ボウル部２１の上縁部には、内側に突出したリム２１ａと、導水路２２から供給される洗浄水を吐水する第１吐水口２４と、が設けられている。第１吐水口２４から吐水された洗浄水は、旋廻しながら下降してボウル部２１のボウル面を洗浄する。
【００２６】
ボウル部２１の下方には、溜水部２５が設けられている。溜水部２５は、排水トラップ管路２３の入口２３ａに接続されている。排水トラップ管路２３は、上昇路２３ｂと、下降路２３ｃと、を有する。上昇路２３ｂは、入口２３ａから後方斜め上方に向かって延びる。下降路２３ｃは、上昇路２３ｂと連続し、下方に向かって延びる。下降路２３ｃの下端は、例えば、図示を省略した排水ソケットを介して床下の排出管に接続される。これにより、溜水部２５及び上昇路２３ｂに水が溜まり、封水が形成される。
【００２７】
また、ボウル部２１の封水面Ｗ０の上方位置には、導水路２２から供給された洗浄水を吐水する第２吐水口２６が設けられている。第２吐水口２６から吐水された洗浄水は、溜水部２５に溜まった水を旋廻させ、旋廻流を生じさせる。
【００２８】
機能部３０は、便器２０を洗浄する洗浄水を貯水する洗浄水タンク４０を有する。洗浄水タンク４０は、略矩形の箱状であり、上下方向に延びる排水口４２を底面に有する。洗浄水タンク４０は、内部の空間に洗浄水を貯水可能とし、排水口４２から貯水した洗浄水を外部に排水可能とする。
【００２９】
洗浄水タンク４０は、ケーシング３８内に設けられている。洗浄水タンク４０は、ケーシング３８内において便器２０の導水路２２の上方に配置され、排水口４２を導水路２２に連通させている。これにより、洗浄水タンク４０に貯水された洗浄水が、排水口４２を介して導水路２２に供給される。洗浄水タンク４０から導水路２２に洗浄水を供給することにより、便器２０の洗浄が行われる。
【００３０】
このように、トイレ装置１０の機能部３０では、洗浄水タンク４０が本体部３２と一体化している。洗浄水タンク４０は、本体部３２とは別体に設けてもよい。換言すれば、洗浄水タンク４０は、ケーシング３８の外側に設けてもよい。また、洗浄水タンク４０の外形形状は、略矩形に限ることなく、洗浄水の貯水及び排水が可能な任意の形状でよい。
【００３１】
図２は、本発明の第１の実施形態にかかるトイレ装置の洗浄水タンクを表す部分断面図である。  
図２に表したように、トイレ装置１０の本体部３２は、給水部５０と、排水弁５２と、排水弁駆動部５４と、水位検出部５６と、を有する。給水部５０は、洗浄水タンク４０に洗浄水を給水する。排水弁５２は、排水口４２を開閉する。排水弁駆動部５４は、排水弁５２の開閉を駆動する。水位検出部５６は、洗浄水タンク４０内に設けられ、洗浄水タンク４０内の洗浄水の止水水位ＷＵＬを検出する。
【００３２】
給水部５０は、定流量弁６０と、バルブユニット６２と、給水口６４と、を有する。定流量弁６０は、上水道などの給水源に接続され、給水源から供給される洗浄水の流量を実質的に一定に保持する。定流量弁６０は、実質的に一定の流量の洗浄水をバルブユニット６２に供給する。
【００３３】
バルブユニット６２は、定流量弁６０と給水口６４との間に設けられる。バルブユニット６２は、電磁弁６２ａを有し、電磁弁６２ａの駆動により、給水口６４への洗浄水の供給、及び供給の停止を切り替える。給水口６４は、洗浄水タンク４０内に設けられ、バルブユニット６２から供給された洗浄水を洗浄水タンク４０内に吐水する。これにより、バルブユニット６２の駆動によって、洗浄水タンク４０への洗浄水の給水、及び給水の停止を制御することができる。
【００３４】
排水弁５２には、上下方向に延びる直管状のオーバーフロート管６６が接続されている。排水弁５２は、オーバーフロート管６６の下端部に設けられる。オーバーフロート管６６の下端開口部６６ａは、排水弁５２よりも下方に延び、排水弁５２が排水口４２を閉塞した状態において、排水口４２と連通する。一方、オーバーフロート管６６の上端開口部６６ｂは、排水弁５２が排水口４２を閉塞した状態において、止水水位ＷＵＬよりも上方に位置する。
【００３５】
洗浄水タンク４０においては、オーバーフロート管６６の上端開口部６６ｂの位置が、オーバーフロー水位ＷＯＦとなる。排水弁５２が排水口４２を閉塞した状態において、洗浄水タンク４０内の洗浄水の水位が、止水水位ＷＵＬを超え、オーバーフロー水位ＷＯＦに到達すると、洗浄水は、オーバーフロート管６６の上端開口部６６ｂから下端開口部６６ａを経て便器２０に排水される。これにより、洗浄水タンク４０から洗浄水が意図せず溢れてしまうことを抑制することができる。例えば、ケーシング３８内の他の機器やトイレルームの床面などが濡れてしまうことを抑制することができる。
【００３６】
排水弁駆動部５４は、例えば、電動機７０と、回転軸７２と、フック部７４と、連結部材７６と、を有する。電動機７０は、例えば、ＤＣモータである。回転軸７２は、水平方向に延びる棒状であり、電動機７０の駆動軸に接続されている。電動機７０は、電力の供給に応じて水平方向の軸周りに回転軸７２を回転させる。また、回転軸７２は、フック部７４及び連結部材７６を介してオーバーフロート管６６及び排水弁５２に接続されている。連結部材７６は、例えば、玉鎖である。
【００３７】
排水弁５２が排水口４２を閉塞した状態において、電動機７０を駆動し、回転軸７２を回転させると、連結部材７６が上方に引き上げられる。これにともなって、オーバーフロート管６６及び排水弁５２が上方に移動し、排水口４２が開放される。これにより、洗浄水タンク４０内に貯水された洗浄水が、排水口４２から排水され、便器２０に供給される。また、排水口４２を開放した後、電動機７０を駆動し、回転軸７２を逆方向に回転させることにより、オーバーフロート管６６及び排水弁５２が下方に移動し、排水弁５２によって排水口４２が閉塞される。
【００３８】
水位検出部５６は、例えば、上下方向に延びる軸部５６ａと、軸部５６ａに上下方向に移動可能に設けられたフロート部５６ｂと、を有する。フロート部５６ｂは、洗浄水に対して浮力を有し、水位の上昇にともなって上方に移動する。水位検出部５６は、フロート部５６ｂの位置に応じて止水水位ＷＵＬを検出し、電気的な検出信号を出力する。水位検出部５６は、いわゆるフロートスイッチである。
【００３９】
本体部３２は、機械式給水機構８０をさらに有する。機械式給水機構８０は、例えば、フロート部８２と、アーム部８４と、を有する。フロート部８２は、洗浄水に対して浮力を有し、水位の上昇にともなって上方に移動する。フロート部８２は、アーム部８４の一端に取り付けられている。アーム部８４の他端は、給水部５０のバルブユニット６２に取り付けられている。バルブユニット６２は、図２において紙面と直交する方向を軸にアーム部８４を回転可能に支持する。
【００４０】
また、フロート部８２及びアーム部８４は、フロート部８２の下端が止水水位ＷＵＬよりも下方に位置するように、取り付けの位置や大きさなどが調整されている。これにより、フロート部８２及びアーム部８４は、洗浄水タンク４０内の洗浄水の水位に応じて、アーム部８４の他端を軸に上下方向に揺れ動く。
【００４１】
バルブユニット６２は、開閉弁６２ｂをさらに有する。開閉弁６２ｂは、経路を機械的に開閉する機械式の弁機構である。開閉弁６２ｂは、電磁弁６２ａと並列的に設けられる。これにより、バルブユニット６２においては、電磁弁６２ａと開閉弁６２ｂとの少なくとも一方を開くことにより、給水口６４に洗浄水を供給することができる。
【００４２】
アーム部８４の他端は、開閉弁６２ｂと機械的に連結されている。フロート部８２及びアーム部８４は、洗浄水タンク４０に貯水された洗浄水の水位が、止水水位ＷＵＬよりも低い下限水位ＷＬＬ未満となった場合に、機械的に開閉弁６２ｂを開き、下限水位ＷＬＬまで洗浄水タンク４０に洗浄水を給水する。そして、フロート部８２及びアーム部８４は、洗浄水タンク４０に貯水された洗浄水の水位が、下限水位ＷＬＬ以上である場合、機械的に開閉弁６２ｂを閉じ、洗浄水の給水を停止させる。
【００４３】
機械式給水機構８０は、いわゆるボールタップ機構である。このように、機械式給水機構８０を設けることにより、例えば、停電などが発生した場合にも、最低限の洗浄水を洗浄水タンク４０に貯水させ、便器洗浄を行うことができる。
【００４４】
なお、この例では、開閉弁６２ｂをバルブユニット６２に設け、電磁弁６２ａを用いて電気的に給水を行う場合と、機械式給水機構８０を用いて機械的に給水を行う場合とで、給水口６４を共通化させている。機械式の開閉弁６２ｂは、電磁弁６２ａとは別に設け、開閉弁６２ｂを開いた場合には、給水口６４とは別の給水口から給水を行うようにしてもよい。機械式給水機構８０の構成は、上記に限ることなく、洗浄水タンク４０に機械的に洗浄水を給水可能な任意の構成でよい。
【００４５】
図３は、本発明の第１の実施形態にかかるトイレ装置の電気的構成を表すブロック図である。  
図３に表したように、トイレ装置１０は、制御部１００と、電源回路１０２と、操作部１０４と、を有する。制御部１００及び電源回路１０２は、本体部３２に設けられ、ケーシング３８内に収納される。
【００４６】
電源回路１０２は、外部電源２に接続される。電源回路１０２は、外部電源２から供給された電力を、トイレ装置１０の各部に対応した電力に変換し、変換後の電力を制御部１００などの各部に供給する。外部電源２は、例えば、ホテルの客室電源であり、前述のように、使用者の利用状況に応じてＯＮ／ＯＦＦされる。電源回路１０２は、外部電源２のＯＮに応じて制御部１００に電源を投入し、外部電源２のＯＦＦに応じて制御部１００への電源投入を停止する。
【００４７】
操作部１０４は、ケーシング３８の外側に露呈して設けられ、使用者の所定の操作を受ける。操作部１０４は、制御部１００と接続され、使用者の操作に応じて、便器洗浄の開始を指示する洗浄開始信号を制御部１００に入力する。操作部１０４は、例えば、洗浄ボタンであり、使用者の押圧操作に応じて、洗浄開始信号を制御部１００に入力する。操作部１０４は、ケーシング３８と一体に設けてもよいし、ケーシング３８とは別体に設けてもよい。すなわち、操作部１０４は、ケーシング３８の外面に設けられたボタンなどでもよいし、ケーシング３８とは別に設けられた、いわゆるリモコンでもよい。操作部１０４は、有線で制御部１００と接続してもよいし、無線を介して制御部１００と接続してもよい。また、操作部１０４は、例えば、複数のボタンなどを有し、種々の操作信号を制御部１００に入力できるようにしてもよい。
【００４８】
制御部１００は、電源回路１０２及び操作部１０４と接続されるとともに、水位検出部５６、電磁弁６２ａ（給水部５０）、及び電動機７０（排水弁駆動部５４）と接続される。制御部１００には、操作部１０４から洗浄開始信号が入力されるとともに、水位検出部５６から止水水位ＷＵＬの検出信号が入力される。制御部１００は、電源回路１０２からの電源投入に応じて動作を開始し、洗浄開始信号及び検出信号の入力に応じて電磁弁６２ａ及び電動機７０の動作を制御する。
【００４９】
制御部１００は、洗浄開始信号の入力に基づいて電動機７０を作動させることにより、排水口４２を開放し、洗浄水タンク４０に貯水された洗浄水を排水口４２から便器２０に供給する。制御部１００は、排水口４２を所定時間開放した後、再び電動機７０を作動させ、排水弁５２で排水口４２を閉塞する。
【００５０】
また、制御部１００は、洗浄開始信号の入力に応じて電磁弁６２ａを作動させることにより、洗浄水タンク４０への洗浄水の給水を行う。そして、制御部１００は、止水水位ＷＵＬの検出信号の入力（水位検出部５６による止水水位ＷＵＬの検出）に応じて電磁弁６２ａの作動を停止させる。これにより、使用者による操作部１０４の操作に応じて便器洗浄が行われるとともに、洗浄水タンク４０への給水が行われる。
【００５１】
図４は、本発明の第１の実施形態にかかるトイレ装置の動作を表すフローチャートである。  
図４に表したように、トイレ装置１０では、外部電源２のＯＮにともなって外部電源２から電源回路１０２に電力が供給されると、電源回路１０２から制御部１００に電力が供給され、制御部１００の電源が投入される（図４のステップＳ１１）。
【００５２】
制御部１００は、電源の投入に応じて起動すると、検出信号を基に、水位検出部５６が止水水位ＷＵＬを検出しているか否かを判定する（図４のステップＳ１２）。
【００５３】
制御部１００は、水位検出部５６が止水水位ＷＵＬを検出していないと判定した場合、電磁弁６２ａを作動させることにより、洗浄水タンク４０への給水動作を実行する（図４のステップＳ１３）。
【００５４】
制御部１００は、水位検出部５６によって止水水位ＷＵＬが検出されるまで、給水動作を継続する（図４のステップＳ１４）。そして、制御部１００は、水位検出部５６による止水水位ＷＵＬの検出に応じて、電磁弁６２ａの作動を停止させ、洗浄水タンク４０への給水動作を停止する（図４のステップＳ１５）。
【００５５】
この後、制御部１００は、待機状態に移行し、前述のように、洗浄開始信号の入力に応じて便器洗浄及び給水を行う（図４のステップＳ１６）。また、制御部１００は、ステップＳ１２の判定において、水位検出部５６が止水水位ＷＵＬを検出していると判定した場合には、給水動作を行うことなく待機状態に移行する。
【００５６】
このように、制御部１００は、電源投入時に、水位検出部５６が止水水位ＷＵＬを検出していない場合には、給水部５０（電磁弁６２ａ）を作動させ、止水水位ＷＵＬまで洗浄水タンク４０に洗浄水を給水する補充モードを有する。
【００５７】
ホテルに設置されるトイレ装置１０では、例えば、客室の長時間の不使用にともなって洗浄水タンク４０内の洗浄水が蒸発し、洗浄水の水位が止水水位ＷＵＬよりも低くなってしまう場合がある。また、ホテルでは、客室の不使用時に、客室電源（外部電源２）がＯＦＦになってしまうため、自動的に給水を行うことができない。
【００５８】
この際、例えば、洗浄開始信号の入力に応じて止水水位ＷＵＬの判定を行い、止水水位ＷＵＬよりも低い場合に給水してから便器洗浄を行う構成では、使用者による操作部１０４の操作から便器洗浄の開始までに時間差が生じ、使用者に違和感を与えてしまう可能性がある。
【００５９】
これに対して、本実施形態に係るトイレ装置１０では、制御部１００の電源投入時に補充モードを実行する。これにより、使用者の使用前に洗浄水の補充を行うことができ、電源投入後の便器洗浄時に確実に洗浄水を流すことができ、使用者に便器洗浄を待たせることを抑制することができる。
【００６０】
制御部１００は、待機状態においては、洗浄開始信号の入力に応じて止水水位ＷＵＬの判定を行い、止水水位ＷＵＬよりも低い場合には、給水してから便器洗浄を行う。
【００６１】
例えば、洗浄水タンク４０などに異常がなく、電源ＯＦＦ時に蒸発によって洗浄水が減った場合には、電源投入時に補充モードを実行することにより、以降の客室利用時間内において、洗浄水の水位が再び止水水位ＷＵＬ未満となる可能性は低い。従って、電源投入時に補充モードを実行することにより、以降は、便器洗浄を待たせることなく、使用者に正常にトイレ装置１０を利用させることができる。
【００６２】
一方、洗浄水タンク４０などに異常があり、漏水によって洗浄水が減った場合には、電源投入時に補充モードを実行した後にも、洗浄水の水位が再び止水水位ＷＵＬ未満となる可能性が生じる。従って、この場合には、給水してから便器洗浄を行い、待ち時間を発生させる。これにより、漏水の発生などを使用者（客室利用者やホテル従業員など）に気付き易くさせることができる。また、止水水位ＷＵＬ未満の検出に応じて定期的に給水を行う場合と比べて、洗浄水の無駄な消費も抑制することができる。
【００６３】
待機状態においては、例えば、止水水位ＷＵＬ未満の検出に応じて定期的に給水を行ってもよい。この場合には、漏水などが発生している場合にも、使用者に便器洗浄を待たせることを抑制することができる。また、ホテルにおいては、電源ＯＦＦ時には給水が行われないため、例えば、客室の非使用時などにおける無駄な洗浄水の消費を抑制することができる。
【００６４】
（第２の実施形態）  
図５は、本発明の第２の実施形態にかかるトイレ装置の電気的構成を表すブロック図である。  
図５に表したように、トイレ装置１０ａは、便蓋検知部１０６をさらに有する。なお、上記第１の実施形態と機能・構成上実質的に同じものについては、同符号を付し、詳細な説明を省略する。
【００６５】
便蓋検知部１０６は、制御部１００と接続されている。便蓋検知部１０６は、便蓋３６の開状態を検知する。便蓋３６の開状態とは、便座３４を露呈させ、使用者が便座３４に腰掛けた状態でトイレ装置１０ａを利用できる状態である。便蓋検知部１０６は、便蓋３６の開状態の検知に応じて、便蓋３６が開状態にあることを表す開検知信号を制御部１００に入力する。制御部１００は、開検知信号の入力により、便蓋３６の開状態を検知する。
【００６６】
便蓋検知部１０６には、例えば、便蓋３６が開状態となった場合に接点を導通させるリミットスイッチなどが用いられる。便蓋検知部１０６は、これに限ることなく、便蓋３６の開状態を検知可能な任意の部材でよい。また、便蓋３６の開閉は、手動でもよいし、図示を省略した便蓋駆動機構などにより、自動で行ってもよい。便蓋３６の開閉を自動で行う場合には、例えば、便蓋駆動機構などの駆動状況に応じて、便蓋３６の開状態を検知してもよい。
【００６７】
トイレ装置１０ａにおいて、制御部１００は、開検知信号の入力にともなう便蓋３６の開検知時に、補充モードを実行する。すなわち、制御部１００は、便蓋３６の開検知時に、水位検出部５６が止水水位ＷＵＬを検出していない場合には、給水部５０（電磁弁６２ａ）を作動させ、止水水位ＷＵＬまで洗浄水タンク４０に洗浄水を給水する。
【００６８】
このトイレ装置１０ａにおいても、便蓋３６の開放から便器洗浄を行うまでの間に洗浄水の補充を行うことができ、上記第１の実施形態と同様に、使用者に便器洗浄を待たせることを抑制することができる。
【００６９】
また、トイレ装置１０ａでは、電源投入後の待機状態においても、便蓋３６の開検知時に、補充モードを実行することができる。これにより、止水水位ＷＵＬ未満の検出に応じて定期的に給水を行う場合と比べて、洗浄水の無駄な消費を抑制することもできる。
【００７０】
（第３の実施形態）  
図６は、本発明の第３の実施形態にかかるトイレ装置の電気的構成を表すブロック図である。  
図６に表したように、トイレ装置１０ｂは、着座検知部１０８を有する。着座検知部１０８は、制御部１００と接続されている。着座検知部１０８は、便座３４への使用者の着座を検知する。着座検知部１０８は、使用者の着座の検知に応じて、使用者が着座したことを表す着座検知信号を制御部１００に入力する。制御部１００は、着座検知信号の入力により、便座３４への使用者の着座を検知する。
【００７１】
着座検知部１０８には、例えば、着座にともなう便座３４の撓みに応じて接点を導通させるマイクロスイッチなどが用いられる。着座検知部１０８は、これに限ることなく、便座３４への使用者の着座を検知可能な任意の部材でよい。
【００７２】
トイレ装置１０ｂにおいて、制御部１００は、着座検知信号の入力にともなう着座検知時に、補充モードを実行する。すなわち、制御部１００は、便座３４への使用者の着座検知時に、水位検出部５６が止水水位ＷＵＬを検出していない場合には、給水部５０（電磁弁６２ａ）を作動させ、止水水位ＷＵＬまで洗浄水タンク４０に洗浄水を給水する。
【００７３】
このトイレ装置１０ｂにおいても、便座３４への着座から便器洗浄を行うまでの間に洗浄水の補充を行うことができ、上記各実施形態と同様に、使用者に便器洗浄を待たせることを抑制することができる。
【００７４】
また、トイレ装置１０ｂでは、電源投入後の待機状態においても、便座３４への着座検知時に、補充モードを実行することができる。これにより、止水水位ＷＵＬ未満の検出に応じて定期的に給水を行う場合と比べて、洗浄水の無駄な消費を抑制することもできる。
【００７５】
（第４の実施形態）  
図７は、本発明の第４の実施形態にかかるトイレ装置の電気的構成を表すブロック図である。  
図７に表したように、トイレ装置１０ｃは、入室検知部１１０を有する。入室検知部１１０は、制御部１００と接続されている。入室検知部１１０は、トイレ装置１０ｃが設置されたトイレルームへの使用者の入室を検知する。入室検知部１１０は、使用者の入室の検知に応じて、使用者が入室したことを表す入室検知信号を制御部１００に入力する。制御部１００は、入室検知信号の入力により、トイレルームへの使用者の入室を検知する。
【００７６】
入室検知部１１０には、例えば、赤外線、超音波、又はマイクロ波などを用いた人体検知センサなどが用いられる。入室検知部１１０は、これに限ることなく、トイレルームへの使用者の入室を検知可能な任意の部材でよい。
【００７７】
トイレ装置１０ｃにおいて、制御部１００は、入室検知信号の入力にともなう入室検知時に、補充モードを実行する。すなわち、制御部１００は、トイレルームへの使用者の入室検知時に、水位検出部５６が止水水位ＷＵＬを検出していない場合には、給水部５０（電磁弁６２ａ）を作動させ、止水水位ＷＵＬまで洗浄水タンク４０に洗浄水を給水する。
【００７８】
このトイレ装置１０ｃにおいても、トイレルームへの入室から便器洗浄を行うまでの間に洗浄水の補充を行うことができ、上記各実施形態と同様に、使用者に便器洗浄を待たせることを抑制することができる。
【００７９】
また、トイレ装置１０ｃでは、電源投入後の待機状態においても、トイレルームへの使用者の入室検知時に、補充モードを実行することができる。これにより、止水水位ＷＵＬ未満の検出に応じて定期的に給水を行う場合と比べて、洗浄水の無駄な消費を抑制することもできる。
【００８０】
このように、制御部１００は、電源投入時、便蓋３６の開検知時、便座３４への使用者の着座検知時、及びトイレルームへの使用者の入室検知時のいずれかの時に、補充モードを実行すればよい。例えば、電源投入時に補充モードを行うとともに、電源投入後の待機状態においては、便蓋３６の開検知時、着座検知時、及び入室検知時のいずれかの時に、補充モードを実行するようにしてもよい。
【００８１】
（第５の実施形態）  
図８は、本発明の第５の実施形態にかかるトイレ装置の電気的構成を表すブロック図である。  
図８に表したように、トイレ装置１０ｄは、給水報知部１１２を有する。給水報知部１１２は、補充モードの実行による洗浄水の給水を報知する。給水報知部１１２には、例えば、ＬＥＤ（Light Emitting Diode）などの発光素子が用いられる。給水報知部１１２は、例えば、光により、給水を報知する。給水報知部１１２による報知の態様は、光に限ることなく、音声の出力や、文字の表示など、補充モードの実行による洗浄水の給水を報知可能な任意の態様でよい。給水報知部１１２は、補充モードの実行による洗浄水の給水を報知可能な任意の部材でよい。
【００８２】
給水報知部１１２は、制御部１００と接続されている。給水報知部１１２による報知の実行、及び報知の停止は、制御部１００によって制御される。制御部１００は、補充モードの実行にともなう洗浄水タンク４０への給水動作の開始に応じて給水報知部１１２を作動させ、給水動作の停止に応じて給水報知部１１２の作動を停止させる。すなわち、制御部１００は、図４に関して説明したステップＳ１３〜ステップＳ１５の間において、給水報知部１１２を作動させる。
【００８３】
これにより、本実施形態に係るトイレ装置１０ｄでは、給水が行われていることを使用者などに報知することができる。これにより、給水にともなう音などで、使用者に違和感を与えてしまうことを抑制することができる。
【００８４】
（第６の実施形態）  
図９は、本発明の第６の実施形態にかかるトイレ装置の電気的構成を表すブロック図である。  
図９に表したように、トイレ装置１０ｅは、補充報知部１１４を有する。補充報知部１１４は、補充モードの実行後、補充モードの実行によって洗浄水タンク４０に洗浄水が補充されたことを使用者などに報知する。補充報知部１１４には、給水報知部１１２に関して説明した部材と同様の部材を用いることができる。補充報知部１１４は、洗浄水の補充を報知可能な任意の部材でよい。
【００８５】
補充報知部１１４は、制御部１００と接続されている。補充報知部１１４による報知の実行、及び報知の停止は、制御部１００によって制御される。制御部１００は、補充モードの実行の後、補充報知部１１４を作動させることにより、洗浄水の補充が行われたことを使用者などに報知する。すなわち、制御部１００は、図４に関して説明したステップＳ１６の後に、補充報知部１１４を作動させる。換言すれば、制御部１００は、待機状態において、補充報知部１１４を作動させる。
【００８６】
これにより、本実施形態に係るトイレ装置１０ｅでは、洗浄水の補充が行われたことを使用者などに報知することができ、洗浄水タンク４０における漏水の発生などを使用者に気付かせることができる。従って、漏水などによる洗浄水の無駄な消費をより抑制することができる。
【００８７】
補充報知部１１４の作動は、例えば、補充報知部１１４の停止を制御部１００に指示する停止指示部（図示は省略）の操作に応じて停止される。補充報知部１１４の作動は、例えば、電源のＯＦＦや便器洗浄の実行（操作部１０４の操作）などに応じて停止させてもよい。
【００８８】
また、部屋の利用状況に応じて電源がＯＮ／ＯＦＦされるホテルに設置される場合には、補充報知部１１４の作動状況が、電源のＯＦＦ後も引き継がれるようにし、所定の操作が行われた場合にのみ、補充報知部１１４の作動が停止されるようにしてもよい。この場合には、一度電源をＯＦＦにし、再度電源をＯＮにした後にも、補充モードが実行されたことを使用者などに報知することができる。
【００８９】
上記各実施形態では、便器２０と機能部３０とを備えたトイレ装置を表している。トイレ装置は、例えば、便器２０に対して着脱可能に取り付けられる、いわゆるシート型の便座装置や衛生洗浄装置などでもよい。換言すれば、トイレ装置において、便器２０は、省略可能である。
【００９０】
また、上記各実施形態では、制御部１００は、洗浄開始信号の入力に基づいて電動機７０を作動させることにより、排水口４２を開放し、洗浄水タンク４０に貯水された洗浄水を排水口４２から便器２０に供給する。制御部１００は、排水口４２を所定時間開放した後、再び電動機７０を作動させ、排水弁５２で排水口４２を閉塞する。制御部１００は、洗浄開始信号の入力に応じて電磁弁６２ａを作動させることにより、洗浄水タンク４０への洗浄水の給水を行う。そして、制御部１００は、止水水位ＷＵＬの検出信号の入力（水位検出部５６による止水水位ＷＵＬの検出）に応じて電磁弁６２ａの作動を停止させる。
【００９１】
制御部１００は、上述の、洗浄開始信号の入力に基づいて排水弁駆動部５４を作動させ、洗浄水タンク４０に貯水された洗浄水を排水口４２から便器２０へ供給するとともに、給水部５０を作動させ、洗浄水タンク４０への洗浄水の給水を行い、水位検出部５６による止水水位ＷＵＬの検出に応じて給水部５０の作動を停止させる制御を、少なくとも１回以上、好適には、５回実行した後に、上述説明の補充モードを実行可能となっている。
なお、制御部１００が、排水弁駆動部５４を作動させるタイミングと、制御部１００が、給水部５０を作動させ、洗浄水タンク４０への洗浄水の供給を行うタイミングとは、どちらを先に実行してもよく、同時タイミングも含む。
【００９２】
これにより、トイレ装置１０を設置するホテルで、施工者が、トイレ装置１０と洗浄水の供給源とが接続されていない状態で、トイレ装置１０を外部電源に接続し、トイレ装置１０の電源を投入した後に、制御部１００が補充モードを実行してしまい、洗浄水がトイレ装置１０に供給されない事で、トイレ装置１０が故障したりする事を防止する事ができる。
【００９３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１０、１０ａ〜１０ｅなどが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９４】
１０、１０ａ〜１０ｅ トイレ装置、  ２０ 便器、  ２１ ボウル部、  ２２ 導水路、  ２３ 排水トラップ管路、  ２４ 第１吐水口、  ２５ 溜水部、  ２６ 第２吐水口、  ３０ 機能部、  ３２ 本体部、  ３４ 便座、  ３６ 便蓋、  ３８ ケーシング、  ４０ 洗浄水タンク、  ４２ 排水口、  ５０ 給水部、  ５２ 排水弁、  ５４ 排水弁駆動部、  ５６ 水位検出部、  ６０ 定流量弁、  ６２ バルブユニット、  ６４ 給水口、  ６６ オーバーフロート管、  ７０ 電動機、  ７２ 回転軸、  ７４ フック部、  ７６ 連結部材、  ８０ 機械式給水機構、  ８２ フロート部、  ８４ アーム部、  １００ 制御部、  １０２ 電源回路、  １０４ 操作部、  １０６ 便蓋検知部、  １０８ 着座検知部、  １１０ 入室検知部、  １１２ 給水報知部、  １１４ 補充報知部
【図１】
0006711194.tif 000002
【図２】
0006711194.tif 000003
【図３】
0006711194.tif 000004
【図４】
0006711194.tif 000005
【図５】
0006711194.tif 000006
【図６】
0006711194.tif 000007
【図７】
0006711194.tif 000008
【図８】
0006711194.tif 000009
【図９】
0006711194.tif 000010